(57)【要約】【課題】床板の下面に折り畳み自在な脚体を一体に取り付けてなるプール用床を、使用や保管の際の便宜を損なうことなく、床板の高さを複数段階に調整できるように構成する。【解決手段】プール用床を、床板と、床板の下面に一体に取り付けられる折り畳み自在な複数の脚体と、床板の下面に着脱自在であって組み立てた脚体よりも低い高さに設けた複数の高さ調整脚とから構成する。プールを水中運動などのために利用する場合に、床板の下面に高さ調整脚を取り付けるとともに各脚体を折り畳んで小さく納めた状態でプール用床をプール底に設置し、高さ調整脚で床板を支持して、プールを水中運動に適した水深に設定する。【選択図】図１
2005273405.tif 000002
【特許請求の範囲】
【請求項１】
床板と、床板の下面に一体に取り付けられる折り畳み自在な複数の脚体と、床板の下面に着脱自在であって組み立てた脚体よりも低い高さに設けた複数の高さ調整脚とからなるプール用床。
【請求項２】
下端にプールの底との接地部、上端にプール用床に着脱し得る接続部をそれぞれ設け、プール用床の組み立てた脚体よりも低い高さに設けて形成されてなるプール用床の高さ調整脚。
【発明の詳細な説明】
【技術分野】
【０００１】
本発明は、プールの底に設置して水深を浅くするために使用されるプール用床と、その高さ調整脚に関する。
【背景技術】
【０００２】
競泳用のプールで幼児に水泳を教えるときなどに、プールの水深を浅くするためにプールの底に設置されるプール用床として、図８に示されるように、嵩上げ底となる床板８１の下面に折り畳み自在な複数の脚体８２を一体に取り付け、使用時は組み立てられた各脚体８２で床板８１をプール底から適宜な高さに支持し、不使用時には各脚体８２を床板８１の下側に折り畳めるようにした構成のものがある。
このプール用床は、床板８１の高さが脚体８２を組み立てた状態と折り畳んだ状態の二段階に調節され、組み立てた状態ではプールの水深を幼児が水泳するのに適した深さに設定し、折り畳んだ状態では省スペースに納めて保管できるように全体が低く小さな嵩に折り畳まるようなっていた（例えば特許文献１参照）。
【０００３】
【特許文献１】特開平１１−１５９１７４号公報
【発明の開示】
【発明が解決しようとする課題】
【０００４】
近時のプールは、水泳の他に、水中ウォーキングやジョギング、ダンスなどの水中で足をついて行う水中運動やトレーニングにも広く利用されている。水中運動などに効果的なプールの水深は各運動毎で異なることから、プール利用の態様に応じて水深を適宜に設定できるようにすることの要望も多い。
前記従来のプール用床は、脚体８２を組み立てた状態でプール底に設置すると、大人が水中運動するのに十分な深さとはならず、これを用いて水中運動に適した深さとするには、折り畳んだプール用床を複数段に重ねてプール底に設置する必要がある。しかし、これでは、各水中運動に適した所望の深さに調整できるものの、一度に多人数が水中運動できるようにプール底の広い面積を所定の水深にするためにプール用床が多数必要となって無駄が大きい。
一方、脚体の厚みを増したり脚体の取り付け位置を変更したりするなどして、折り畳んだ状態の高さが増すようにプール用床を形成し、これをプール底に設置することも考えられる。しかし、折り畳んだ状態の嵩が高くなったのでは、使用しないときのプール用床の収納効率が低下し、保管の便宜が悪くなる。また、各水中運動に適するように高さの異なるプール用床を揃え、或いは異なる高さの脚体を複数揃え、水中運動に応じて脚体を付け替えてプール用床を設置したのでは、部材の品揃えにコストが嵩み、プール用床の組み立てや設置も煩雑となって面倒である。
【０００５】
本発明は従来技術の有するこのような問題点に鑑み、床板の下面に折り畳み自在な脚体を一体に取り付けてなるプール用床を、使用や保管の際の便宜を損なうことなく、床板の高さを複数段階に調整できるように構成し、特定のサイズのプール用床で様々なプール利用形態に対応して使用できるようにすることを課題とする。
【課題を解決するための手段】
【０００６】
前記課題を解決するため本発明のプール用床は、床板と、床板の下面に一体に取り付けられる折り畳み自在な複数の脚体と、床板の下面に着脱自在であって組み立てた脚体よりも低い高さに設けた複数の高さ調整脚とからなることを特徴とする。
【０００７】
また、本発明のプール用床の高さ調整脚は、下端にプール底との接地部、上端にプール用床に着脱し得る接続部をそれぞれ設け、プール用床の組み立てた脚体よりも低い高さに設けて形成されたことを特徴とする。
【０００８】
これによれば、プールを幼児の水泳教室などに利用する場合、脚体を組み立てた状態でプール用床をプール底に設置し、プール底を床板の下方で立設した脚体の高さ分だけ嵩上げしてプールの水深を浅くする。プールを水中運動などのために利用する場合は、床板の下面に高さ調整脚を取り付けるとともに各脚体を折り畳んで小さく納めた状態でプール用床をプール底に設置する。この状態で、プール底に高さ調整脚が接地して床板を支持し、プールの水深はプール底を高さ調整脚の高さ分だけ嵩上げした深さとなる。また、プール用床を倉庫などに保管する場合には、高さ調整脚をプール用床から取り外し、脚体を折り畳んで全体を小さく納めることにより、複数のプール用床を多段に重ねて保管場所に収納しておくことができる。
【０００９】
高さ調整脚は、プール底に設置されたプール用床に大人が複数人乗っても不陸を生じさせずに床板を安定的に支持することができるように、床板下面に複数個を取り付けて使用される。この場合、各調整脚の取り付け位置は、脚体を組み立て又は折り畳み操作をする際に脚体の可動部分である脚板と衝突しない範囲の適宜な位置に設定される。床板を安定的に支持するため、床板の下面隅部を含んだ、床板端辺に沿って取り付けることが好ましい。また、高さ調整脚同士を重ね合わせ可能に形成すれば、未使用時に複数個を重ねて収納し保管することができて好ましい。
高さ寸法の異なる高さ調整脚を複数組用意し、これらを選択して床板に取り付けて使用することにより、一つのサイズのプール用床で、床板の支持高さを多段階に調整することができ、プールの水深をプール利用形態に応じて設定することが可能となる。
【発明を実施するための最良の形態】
【００１０】
本発明の好適な一実施形態を図面を参照して説明する。
図１は本発明のプール用床の底面側の外観図、図２はプール用床を構成する脚体の一例の外観図、図３は高さ調整脚の一例の外観図、図４は高さ調整脚の他の例の外観図、図５は図１のプール用床の使用態様を示した図である。
【００１１】
図１に示されるように、本発明のプール用床１は、プール底を嵩上げする床板２と、プール底に接地して床板２を適宜な高さに支持する折り畳み構造の複数の脚体３と、床板２の下面に取り付けられる複数の高さ調整脚４とにより構成されている。
【００１２】
床板２は、例えばプラスチック製の長尺板材を複数枚敷き詰めて形成した床構成体２１の下面に、適宜な間隔を離して向かい合わせに配したアングル材２２、２２を当該床構成体の短手辺と平行に互いに間隔を開けて複数組並置し、これらアングル材を各々ボルトやリベットなどの固着具（図示せず）で各板材に締着固定して、床構成体２１の上面を面一の連続面とした矩形状の床面に形成してある。対向配置された各組のアングル材２２、２２は、後述する脚体３の枠板３１の長手寸法と略同寸法離して配置され、アングル材２２、２２間に枠板３１を取り付けて、床板２の下面に脚体３を一体に固定できるように設けてある。
【００１３】
脚体３は、例えば図２に示されるように、床板２の下面に一体に取り付けられる矩形板状の枠板３１と、同じく矩形状をなす適宜な厚みの脚板３２、３３からなり、枠板３１の下面両端部に設けた軸部３１ａ、３１ｂに両脚板の元端部をそれぞれ回転自在に取り付けて構成してある。詳しくは、各板はプラスチックを用いて一体成形加工により形成されており、枠板３１の軸部３１ｂは他端の軸部３１ａよりも枠板表面から脚板３２の厚み分だけ突出した位置に設けてあり、また、両脚板は、脚板３３の先端部内側に脚板３２の先端部外側を凹凸係合させて先端部同士を一体に接続するとともに係合を解除して接続した先端部同士を分離できるように設けてある。また、脚板３２の両側には、プール用床１をプール底に設置した際に、プール利用者が床下方空間に潜り込むことを防止するために設置される潜り込み防止板（図示せず）の支持部３２ａ、３２ａを突設してある。
そして、脚体３は、枠板３１の下方で脚板３２、３３の先端部同士を接続することにより組み立てられ、その状態で両脚板は枠板３１の下方でＶ字型に立設して枠板３１を適宜な高さに支持し、また、前記接続した先端部同士を分離して両脚板を枠板３１側へ折り重ねることにより、各板を平行に重ね合わせて折り畳めるようになっている。なお、脚体３を折り畳んだ状態では、脚板３２、３３の重なり部に設けた連結機構（図示せず）を作動させて、各板が重なって折り畳んだ状態が保持されるように設けてある。
【００１４】
図１に示されるように、各脚体３は、床板２の下面中央とその両側に所定の間隔を開けて平行に配置されたアングル材２２、２２の間に枠板３１の上面を嵌め入れ、これを固着具で各アングル材に締着させて床板２の下面に一体に取り付けてある。図示した形態では、一組のアングル材２２、２２の間にそれぞれ二つの脚体３を取り付けてあり、各脚体３を組み立てた状態のプール用床１を水平な面上に設置した場合に、これら計６個の脚体３で床板２が水平に支安定して支持されるようになっている。
【００１５】
高さ調整脚４は、例えば図３に示されるように、頂部を水平に切り欠いた四角錘状の殻体を半割りし、これを上下逆さにした如き形状に形成することができる。詳しくは、高さ調整脚４は、平面視略三角形を呈する接地部４１の二辺の縁部から周壁４２を斜め上方へ立ち上げるとともに、周壁４２の上端にその周縁を水平に外方へ折り返してなる接続部４３を設け、当該接続部内に固着具を嵌め入れる開孔４３ａを複数設けて形成してある。接地部４１から接続部４３までの高さは、Ｖ字型に立設した前記床板３２、３３の高さよりも低くなるように設定してある。
高さ調整脚４は、床板２の下面に接続部４３を接合し、開孔４３ａに固着具を通してこれを床板２に締着させることにより、床板２の下面に取り付けられ、また、固着具の締着を解除して床板２から取り外し、取り外した高さ調整脚同士を複数重ね合わせて保管することができるように設けてある。
なお、図４に示されるように、接続部４３の端部にさらに上方へ折れた突片４４を設けて高さ調整脚４を形成し、床板２の下面に接続部４３が接合し、床板２の側端面に突片４４が覆い被さって高さ調整脚４が床板２に取り付けられるように設けてもよい。
【００１６】
図１に示されるように、各調整脚４は、脚体３を組み立て又は折り畳み操作する際の脚板３２、３３の可動範囲外である床板２の下面両側であって、床板２の四隅と当該四隅から中央寄りに離れた床板２の長手辺に沿う端部とに各々取り付けてある。床板２に取り付けられた計８個の高さ調整脚４は、床板２の下面から垂直に突出し、各脚体３を折り畳んだ状態でプール用床１を水平な面上に設置した場合に、各調整脚４の接地部４１が水平面にそれぞれ接地して、床板２を水平に安定して支持するようになっている。
【００１７】
このように構成される本形態のプール用床１によれば、図５に示されるように、プールを幼児の水泳教室などに利用する場合、各脚体３を組み立てた状態でプール用床１をプール底Ｂに設置して、プール底Ｂ上で床板２を各脚体３で支持することにより、脚体３の高さ分だけプールの水深を浅くすることができる（同図（Ａ））。
プールを水中運動などのために利用する場合は、各脚体３を折り畳んで床板２の下方に小さく納めた状態でプール用床１をプール底Ｂに設置して、プール底Ｂ上で床板２を各調整脚４で支持することにより、高さ調整脚４の高さ分だけプールの水深が浅くなり、大人が水中運動をするのに適した深さに調整することができる（同図（Ｂ））。
また、プールを大人が水泳するのに適した深さとするため、プール用床１をプールから引き上げ、倉庫などに保管しておく場合には、各調整脚４をプール用床１から取り外し、各脚体３を折り畳んで全体を小さく納めることにより、複数のプール用床１を多段に重ねて保管場所に収納しておくことができる。（同図（Ｃ））。この場合、取り外した各調整脚４も、上下に重ね合わせ一体にまとめて保管場所に収納しておくことができる。
【００１８】
また、図６に示されるように、高さ寸法（Ｈ１、Ｈ２、Ｈ３）の異なる高さ調整脚４ａ、４ｂ、４ｃを複数組用意しておき、これらをプール利用形態に応じて適宜選択して床板２に取り付けることにより、一つのサイズのプール用床１を、床板２の支持高さを複数段階に調整して使用することができ、プールを各種の水中運動に応じた深さに細かく設定することが可能となる。
【００１９】
図７は本発明のプール用床の他の実施形態を示しており、これは、床板２の下面周辺に沿って高さ調整脚５を取り付け、床板２の下面全周が高さ調整脚５で包囲されるように構成したものである。
詳しくは、高さ調整脚５は、床板２の長手辺と略同じ長さ寸法の長手調整脚５ａと、短手辺と略同じ長さ寸法の短手調整脚５ｂからなり、それぞれ上端に設けた接続部５３を床板２の下面に接合し、当該接続部を通した固着具を床板２に締着させて床板２の下面に取り付けられるとともに、固着具の締着を解除して床板２から取り外すことができるように設けてある。また、両調整脚５ａ、５ｂの高さは、Ｖ字型に立設した前記床板３２、３３の高さよりも低くなるように設定してあり、両調整脚５ａ、５ｂを床板２に取り付け且つ各脚体３を折り畳んだ状態でプール用床１を水平な面上に設置した場合に、両調整脚５ａ、５ｂの接地部５１が水平面にそれぞれ接地して、床板２を水平に安定して支持するようになっている。
【００２０】
このように構成される本形態のプール用床１によれば、前記形態と同様に、床板２の支持高さを、組み立てた脚体３の高さと、高さ調整脚５の高さとに調整して、プールの水深を調節できるとともに、床板２の下面全周が高さ調整脚５の周壁５２で包囲されていることにより、プール利用者が床下方空間に潜り込むことを防止することができる。従って、脚板３２に潜り込み防止板を設置する必要はない。また、プール用床１を倉庫などに保管しておく場合にも、前記と同様に、高さ調整脚５をプール用床１から取り外し、各脚体３を折り畳んで全体を小さく納めて、取り外した高さ調整脚５とともにプール用床１を保管場所に収納しておくことができる。
【００２１】
なお、図示した床板２、脚体３及び高さ調整脚４、５の形態は一例であり、本発明は他の適宜な形態で構成可能である。また、高さ調整脚４、５を床板２に取り付ける手段として、接続部４３、５３に固着具を通して締着させる形態を示したが、これに限らず、アンダーカットやボルト、リベットなどを用いて取り付けてもよく、要は接続部４３、５３が床板２に対して着脱自在な構造であればよい。高さ調整脚４、５の接地部４１、５１には滑り止め用のゴムを一体に固着してもよい。
【図面の簡単な説明】
【００２２】
【図１】本発明のプール用床の一実施形態の底面側の外観図である。
【図２】プール用床を構成する脚体の一例の外観図である。
【図３】高さ調整脚の一例の外観図である。
【図４】（Ａ）は高さ調整脚の他の例の外観図、（Ｂ）はこれを床板に取り付けた状態を示した図である。
【図５】（Ａ）〜（Ｃ）は図１のプール用床の使用態様を示した図である。
【図６】（Ａ）は高さの異なる高さ調整脚の側面図、（Ｂ）はこれらを床板に取り付けた状態を示した図である。
【図７】本発明のプール用床の他の実施形態の底面側の外観図である。
【図８】従来のプール用床の脚体を組み立てた状態（Ａ）と折り畳んだ状態（Ｂ）の要部側面図である。
【符号の説明】
【００２３】
１  プール用床、２  床板、２１  床構成体、２２  アングル材、３  脚体、３１  枠板、３２、３３  脚板、４、５  高さ調整脚
【図１】
2005273405.tif 000003
【図２】
2005273405.tif 000004
【図３】
2005273405.tif 000005
【図４】
2005273405.tif 000006
【図５】
2005273405.tif 000007
【図６】
2005273405.tif 000008
【図７】
2005273405.tif 000009
【図８】
2005273405.tif 000010